(57)【要約】【課題】  把持部に対してローラ部を着脱自在に設けることにより、複数種類の機能を有するローラ部を肌の手入れ方法に応じて適宜選択して使用することが可能であると共に、持ち運びに便利で省スペースでの保管が可能な美容健康具を提供する。  【解決手段】  ローラ部１６と、ローラ部１６と同軸に連結される連結軸１４を備えた把持部１２とを有する美容健康具１０であって、ローラ部１６が、連結軸１４に着脱自在に設けられていることを特徴とする。【選択図】        図２
2005329006.tif 000002
【特許請求の範囲】
【請求項１】
ローラ部と、
該ローラ部と同軸に連結される連結軸を備えた把持部とを有する美容健康具であって、
前記ローラ部が、前記連結軸に着脱自在に設けられていることを特徴とする美容健康具。
【請求項２】
前記ローラ部には前記連結軸を挿通させる貫通孔が形成され、
前記連結軸の中途部には、前記貫通孔に前記連結軸を挿通させた際における前記連結軸の挿通位置を規制する規制片が設けられ、
前記貫通孔に前記連結軸を挿通すると共に、前記連結軸の先端部にストッパが配設されていることを特徴とする請求項１記載の美容健康具。
【請求項３】
前記ストッパは、前記連結軸の中心軸周りに回転可能に設けられていることを特徴とする請求項２記載の美容健康具。
【請求項４】
前記ストッパの外周面には、前記貫通孔よりも径大となる径大部が形成されていることを特徴とする請求項３記載の美容健康具。
【請求項５】
前記ローラ部は、前記規制片と前記ストッパにより挟持されていることを特徴とする請求項２〜４のうちのいずれか一項記載の美容健康具。
【請求項６】
前記ストッパは、回転方向にクリック機構を備えていることを特徴とする請求項３〜５のうちのいずれか一項記載の美容健康具。
【発明の詳細な説明】
【技術分野】
【０００１】
本発明は美容健康具に関し、より詳細には、マッサージをするローラ部の着脱を容易に行うことが可能な美容健康具に関する。
【背景技術】
【０００２】
旧来、特に女性においては、日焼け等の外的要因や加齢等の内的要因によって生じる肌の異常に対して敏感であり、各種の栄養剤等を服用したり、塗布することにより、間接的および直接的に肌の手入れをしていた。
【０００３】
近年、肌に物理的な刺激を与えることにより、直接的に肌の手入れを行う美容健康装置や美容健康器具が各種提案されており、例えば、特許文献１に記載されているような美容健康装置が提案されている。
特許文献１に開示されている美容健康装置は、把持部を有する本体の一端部に、中空非円筒外周面をもったローラを回転自在に支持し、該ローラの内部にエネルギー発生部を設け、該ローラが上記エネルギー発生部からのエネルギーを伝達するようにしたものである。これにより、ローラ内部にエネルギー発生部が組み込まれたエネルギー発生部からのエネルギーによりマッサージ効果が得られると同時に、非円筒外周面をもつローラを皮膚上に当てて転動することにより皮膚細胞に断続的な刺激を与えて相乗マッサージ効果も高めることが可能になり、一般に広く用いられている。
【特許文献１】特開平１１−１９２２７５号公報
【発明の開示】
【発明が解決しようとする課題】
【０００４】
ところが、引用文献１に示されている美容健康装置においては、エネルギーを発生するローラが把持部にリジットに固定されているため、予め取り付けられたローラでしか肌の手入れをすることができず、他の機能を用いて肌の手入れをしようとする場合には、別個の美容健康装置を用意しなければならず、持ち運びや保管において不便であるといった課題がある。
【０００５】
そこで、本発明は、把持部に対してローラ部を着脱自在に設けることにより、複数種類の機能を有するローラ部を肌の手入れ方法に応じて適宜選択して使用することが可能であると共に、持ち運びに便利で省スペースでの保管が可能な美容健康具の提供を目的としている。
【課題を解決するための手段】
【０００６】
本発明は、ローラ部と、該ローラ部と同軸に連結される連結軸を備えた把持部とを有する美容健康具であって、前記ローラ部が、前記連結軸に着脱自在に設けられていることを特徴とする美容健康具である。
【０００７】
また、前記ローラ部には前記連結軸を挿通させる貫通孔が形成され、前記連結軸の中途部には、前記貫通孔に前記連結軸を挿通させた際における前記連結軸の挿通位置を規制する規制片が設けられ、前記貫通孔に前記連結軸を挿通すると共に、前記連結軸の先端部にストッパが配設されていることを特徴とする。
これにより、連結軸に装着したローラ部が、所定の範囲内に納まるため、肌の手入れをする際に不用意にローラ部が連結軸から逸脱してしまうおそれがない。
【０００８】
また、前記ストッパは、前記連結軸の中心軸周りに回転可能に設けられていることを特徴とする。
これにより、ストッパを紛失してしまうおそれを無くすことができる。
また、前記ストッパの外周面には、前記貫通孔よりも径大となる径大部が形成されていることを特徴とする。
これにより、ローラ部の着脱をワンタッチ操作で行うことができるので、取り扱いが容易になり、使い勝手が向上する。
【０００９】
また、前記ローラ部は、前記規制片と前記ストッパにより挟持されていることを特徴とする。
これにより、ローラ部を確実に所定の位置に収めることができるので、ローラ部を駆動手段により高速に回転させた場合でも安全に使用することができる。
また、前記ストッパは、回転方向にクリック機構を備えていることを特徴とする。
これにより、ローラ部の回転に伴ってストッパが解除され、ローラ部が連結軸から離脱してしまうことを防止できる。
【発明の効果】
【００１０】
本発明による美容健康具によれば、ワンタッチ操作でローラ部を取り替えることができるので、使用目的に応じて迅速にローラ部を取り替えることができる。
また、ローラ部のみを複数所有するだけで、実質的に多機能を有する美容健康具とすることができるため省コストで肌の手入れをすることが可能になる。
さらには、持ち運びが便利で省スペースでの保管ができるため、旅行先等においても携帯することができ、肌の手入れを場所を問わずに継続的に行うことが可能になる。
【発明を実施するための最良の形態】
【００１１】
以下、添付図面に基づいて本発明の最良の実施の形態を詳細に説明する。図１は、本実施の形態における美容健康具の正面図である。図２は、図１における左側面図である。図３は、図２のローラ部の近傍における拡大図である。図１、図２、図３においては、把持部に対してローラ部が固定された状態を示している。図４は、ローラ部を着脱する際における左側面図である。図５は、図４のローラ部の近傍における拡大図である。
【００１２】
本実施の形態に係る美容健康具１０は、図１に示すように、電源Ｂおよび駆動手段Ｍを内蔵する把持部１２と、駆動手段Ｍの出力軸Ｍａに接続され、把持部１２の外部まで延出する連結軸１４と、連結軸１４に挿通させることにより連結されたローラ部１６と、連結軸１４の先端部に取り付けられ、ローラ部１６が連結軸１４から逸脱することを防止するためのストッパ１８を有している。
【００１３】
把持部１２の内部空間には、電源としての電池Ｂと、駆動手段としてのモータＭが配設されている。電池ＢとモータＭは、略直列状に配設されていて、把持部１２の重量バランスが偏らないようになっている。
モータＭの出力軸Ｍａには、連結軸１４が同軸に連結されており、把持部１２の外部まで連結軸１４が延伸している。連結軸１４の中途部分には、連結軸１４に挿通されるローラ部１６の挿通位置を規制する規制片１４ａが形成されている。本実施の形態における規制片１４ａは、連結軸１４の外周面から径方向に拡大し、ローラ部１６の貫通孔１６ａより大径な円板状に形成されている。また、規制片１４ａは、連結軸１４の先端部に取り付けられたストッパ１８との離間距離がローラ部１６の回転面の幅と略等しくなる位置に配設されている。すなわち、ローラ部１６はストッパ１８と規制片１４ａとにより挟持される状態になる。
【００１４】
ローラ部１６には、ローラ部１６の回転軸部分に連結軸１４を挿通させるための貫通孔１６ａが形成されている。本実施の形態における貫通孔１６ａは、連結軸１４の中心軸と直交方向における断面形状に外接する正方形に形成されている。換言すれば、連結軸１４は、ローラ部１６に形成された正方形断面の貫通孔１６ａに対して内接する円形断面に形成されている。
【００１５】
連結軸１４の先端部分には、ストッパ１８が取り付けられている。ストッパ１８は、連結軸１４の先端面において、連結軸１４の回転軸と同軸周りに回転可能となるように係止軸Ｊにより連結されている。ストッパ１８には貫通孔１６ａよりも径大となるような径大部１８ａが形成されている。
図５に示すように、径大部１８ａは、径大部１８ａの外端部をそれぞれ結ぶことにより形成される多角形が、貫通孔１６ａ内に収まる形状に形成されている。ストッパ１８は連結軸１４に対して回転可能であるため、連結軸１４に対するストッパ１８の回転位置によっては、径大部１８ａが貫通孔１６ａの断面内からはみ出す状態（図３）および貫通孔１６ａの断面内に収まる状態（図５）のいずれの状態にもなり得る。
【００１６】
また、ストッパ１８と連結軸１４の接続部分には、連結軸１４の径方向に突出入可能に形成された突出部１８ｂが形成されていて、連結軸１４には突出部１８ｂが嵌合する凹部１４ｂが形成されている。突出部１８ｂと凹部１４ｂは、連結軸１４の回転軸を中心として４５度間隔に形成されている。このようにして形成された突出部１８ｂと凹部１４ｂとによりストッパ１８のクリック機構２０が構成され、ストッパ１８は、図５に示した状態と図３に示した状態のいずれか一方の状態で維持される。
【００１７】
本実施の形態における美容健康具１０の構造は以上に説明したとおりである。本実施の形態におけるローラ部１６については、平坦な回転面を有する円柱状のものを図示しているが、回転面に突起や溝を所要間隔に配設したものや、遠赤外線を放出する材料により形成したローラ部１６であったり、さらには、回転面からマイナスイオンを放出可能に形成したローラ部１６を別途用いれば、肌の手入れを十分に行うことができるため好適である。
【００１８】
次に美容健康具１０の使用方法について説明する。
まず、肌の手入れに応じたローラ部１６を連結軸１４に挿通させる。ローラ部１６は、図５に示すように、貫通孔１６ａの断面内にストッパ１８の径大部１８ａを収めた状態にして貫通孔１６ａに連結軸１４を挿通する。連結軸１４に設けられた規制片１４ａにローラ部１６の一端面が当接するまで挿通させた後、ストッパ１８を回転させ、図３に示す状態にする。この状態においては、ストッパ１８の径大部１８ａと規制片１４ａとによりローラ部１６が挟持された状態となる。
【００１９】
把持部１２に配設された図示しないスイッチにより駆動手段であるモータＭに印加し、連結軸１４を回転させ、ローラ部１６を回転させる。モータＭの回転速度は図示しない回転調整スイッチにより調整可能になっていることが望ましい。
ローラ部１６が回転したら、ローラ部１６を肌に当て、ローラ部１６が当接する位置を適宜移動させる。このようにして、手入れをする範囲内における肌のマッサージを行う。
【００２０】
また、必要に応じて、ローラ部１６を取り付けた手順と逆の手順により取り外し、他の機能を有するローラ部１６を取り付けて一回目のマッサージと同様にして肌のマッサージを行う。以上の操作を繰り返し行うことで、肌のマッサージが完了する。なお、一回目のマッサージの前にクリーム等を塗って使用すれば、肌とローラ部１６との摩擦が軽減され、肌に対する刺激を軽減することができるため好都合である。
【００２１】
以上に実施の形態に基づいて美容健康具１０について詳細に説明してきたが、本願発明は、以上の実施の形態に限定されるものではなく、発明の要旨を変更しない範囲において各種の変更を行っても、本願発明の技術的範囲に属するのはいうまでもない。
例えば、本実施の形態においては、駆動手段であるモータＭの出力軸Ｍａと連結軸１４とが同軸になるように連結されているが、出力軸Ｍａと連結軸１４がスプロケットを介して接続してモータＭの出力を連結軸１４に伝達する形態とすることができるのはもちろんである。
また、連結軸１４の断面形状は、ローラ部１６の貫通孔１６ａに内接する形状に形成されたものを用いているが、ローラ部１６の貫通孔１６ａに対して、略嵌合する形状に形成された連結軸１４用いることも可能である。
【００２２】
さらには、本実施の形態においては、把持部１２の内部空間にローラ部１６を駆動させるための駆動手段Ｍを内蔵した形態について説明しているが、駆動手段Ｍは必ずしも必要ではなく、棒状に形成された単純な把持部１２とし、ローラ部１６を肌に当接させながら把持部１２を手で動かして使用する形態を採用することができる。これによれば、美容健康具１０を安価に提供することができると共に、故障の少ない美容健康具１０とすることができる。
さらにまた、把持部１２の内部空間に配設された電源Ｂとローラ部１６とを電気的に接続し、ローラ部１６から電気的な刺激を肌に与えることが可能な形態とすることもできる。
【図面の簡単な説明】
【００２３】
【図１】本実施の形態における美容健康具の正面図である。
【図２】図１における左側面図である。
【図３】図２のローラ部の近傍における拡大図である。
【図４】ローラ部を着脱する際における左側面図である。
【図５】図４のローラ部の近傍における拡大図である。
【符号の説明】
【００２４】
１０  美容健康具
１２  把持部
１４  連結軸
１４ａ  規制片
１４ｂ  凹部
１６  ローラ部
１６ａ  貫通孔
１８  ストッパ
１８ａ  径大部
１８ｂ  突出部
２０  クリック機構
Ｂ  電源
Ｊ  係止軸
Ｍ  駆動手段
Ｍａ  出力軸                      
【図１】
2005329006.tif 000003
【図２】
2005329006.tif 000004
【図３】
2005329006.tif 000005
【図４】
2005329006.tif 000006
【図５】
2005329006.tif 000007